(57)【要約】【課題】小型化しつつ多出力化に対応可能なソースドライバを提供する。【解決手段】複数のサンプリング部31により所定間隔で順次サンプリングして複数のラッチ部32にて保持したアナログ画像信号GDR，GDG，GDBを、一対のラッチ部32，32毎にマルチプレクサ部34により切り換えて画像信号として出力する。ソースドライバ26は、出力用の端子数を必要以上に増加させることなく多選択駆動に対応することが可能となり、ソースドライバ26を小型化しつつ多出力化に対応可能となる。【選択図】図１
2008015109.tif 000002
【特許請求の範囲】
【請求項１】
表示素子本体の画素側へと画像信号を出力するアナログ式表示駆動装置であって、
入力された複数のアナログ画像信号を所定間隔で順次サンプリングする複数のサンプリング部と、
これらサンプリング部でサンプリングされたアナログ画像信号をそれぞれ保持する複数のラッチ部と、
複数の前記ラッチ部毎に設けられ、これらラッチ部を選択的に切り換えてこれらラッチ部で保持した前記アナログ画像信号を画像信号として出力する複数の切換出力部と
を具備したことを特徴としたアナログ式表示駆動装置。
【請求項２】
複数の画素を備えた表示素子本体と、
この表示素子本体に設けられ、画像信号を出力する請求項１記載のアナログ式表示駆動装置と、
前記表示素子本体に設けられ、前記アナログ式表示駆動装置により出力された画像信号を、前記アナログ式表示駆動装置の複数の前記切換出力部の切り換えに対応して切り換えて選択し、前記画素へと入力する複数の素子側切換出力部と
を具備したことを特徴とした表示素子。
【発明の詳細な説明】
【技術分野】
【０００１】
本発明は、表示素子本体の画素側へと画像信号を出力するアナログ式表示駆動装置およびこれを備えた表示素子に関する。
【背景技術】
【０００２】
従来、この種の表示素子としての液晶表示素子である液晶パネルは、アレイ基板と、このアレイ基板に対向して配設された対向基板と、これら基板間に介在された液晶層とを備え、所定の有効表示領域に複数の画素がマトリクス状に配設されている。
【０００３】
アレイ基板には、画素を区画する複数の走査線と複数の信号線とが格子状に配設され、これら走査線と信号線との交差部のそれぞれに、各画素を駆動するスイッチング素子としての複数の薄膜トランジスタ（ＴＦＴ）が設けられている。これらＴＦＴは、そのゲート電極が走査線に、ソース電極が信号線に、それぞれ電気的に接続されている。
【０００４】
そして、これら走査線には、ゲートドライバを介してＴＦＴのオンオフ制御信号が入力されるとともに、信号線には、アナログ式表示駆動装置としてのソースドライバを介して画像データに対応した画像信号が入力される。
【０００５】
このようなソースドライバを用いて、例えばインターレス映像信号を液晶パネルにて表示する際には、一対のラッチ回路により水平走査方向に対する一の表示信号をサンプリングし、他の一対のラッチ回路により水平走査方向に対する次の表示信号をサンプリングして、これらサンプリングした表示信号を１水平走査期間の半分の期間毎に交互に反転して出力する（例えば、特許文献１参照。）。
【特許文献１】特開２００３−１５０１２６号公報
【発明の開示】
【発明が解決しようとする課題】
【０００６】
ところで、近年、液晶パネルにおいては、画素数の増加などに伴い、ソースドライバの多出力化が進んできている。そして、このような多出力化に伴い、ソースドライバの出力端子すなわち出力バンプ数が増加すると、ソースドライバを大きくすることなく対応するために、出力バンプを小型化したり、出力バンプ間の間隔を狭くしたりする必要がある。
【０００７】
そして、このような出力バンプの狭小化に伴い、実装技術の精度を向上したり、狭小化された出力バンプを液晶パネルに電気的に接続可能なＡＣＦ（Anisotropic Conductive Film）を開発したりする必要があり、コストの削減が容易でない。
【０００８】
特に、アナログ式のソースドライバでは、例えばデジタル式のソースドライバのような画像データ信号の順序変更などが容易でないため、多出力化に対応するためには出力端子数を増加させなければならず、小型化が容易でないという問題点を有している。
【０００９】
同様に、液晶パネル上において多選択化に対応する場合でも、アナログ式のソースドライバでは画像データ信号の順序変更が容易でないことから、液晶パネル上の配線が交差するなど、複雑化してしまい、多選択化に対応することが容易でない。
【００１０】
本発明は、このような点に鑑みなされたもので、小型化しつつ多出力化に対応可能なアナログ式表示駆動装置およびこれを備えた表示素子を提供することを目的とする。
【課題を解決するための手段】
【００１１】
本発明は、表示素子本体の画素側へと画像信号を出力するアナログ式表示駆動装置であって、入力された複数のアナログ画像信号を所定間隔で順次サンプリングする複数のサンプリング部と、これらサンプリング部でサンプリングされたアナログ画像信号をそれぞれ保持する複数のラッチ部と、複数の前記ラッチ部毎に設けられ、これらラッチ部を選択的に切り換えてこれらラッチ部で保持した前記アナログ画像信号を画像信号として出力する複数の切換出力部とを具備したものである。
【００１２】
そして、複数のサンプリング部により所定間隔で順次サンプリングして複数のラッチ部にて保持したアナログ画像信号を、複数のラッチ部毎に切換出力部により切り換えて画像信号として出力する。
【発明の効果】
【００１３】
本発明によれば、出力用の端子数を必要以上に増加させることなく多選択駆動に対応することが可能となり、小型化しつつ多出力化に対応可能となる。
【発明を実施するための最良の形態】
【００１４】
以下、本発明の一実施の形態の構成を図面を参照して説明する。
【００１５】
図２ないし図４において、１は表示素子としての液晶表示素子であるアクティブマトリクス型の液晶パネルで、この液晶パネル１は、アレイ基板３と、対向基板４と、これらアレイ基板３および対向基板４の間に挟持されて保持された液晶層５とを有する表示素子本体としてのパネル本体６を備えている。そして、このパネル本体６の中央部には、画像表示が可能な有効表示領域である平面四角形状の表示エリア７が設けられている。この表示エリア７には、複数の画素８がマトリクス状に配置されている。さらに、液晶パネル１は、アレイ基板３と対向基板４との間に、図示しない配向膜を介して液晶層５を保持した状態で、これらアレイ基板３と対向基板４とがシール剤９にて貼り合わされている。また、これらアレイ基板３および対向基板４それぞれの外側に位置する外表面には、互いの偏光軸が直交するように図示しない偏光板がそれぞれ配置されている。
【００１６】
アレイ基板３は、透光性を有する絶縁基板であり、一主面である内表面に、図２に示すように、走査線11と信号線12とが互いに略直交するように配置されている。さらに、これら走査線11および信号線12にて仕切られて囲まれた各領域のそれぞれに表示エリア７の画素８が位置している。また、これら画素８のそれぞれは、スイッチング素子としての薄膜トランジスタ（ＴＦＴ）15と、このＴＦＴ15に電気的に接続された図示しない画素電極と、対向基板４に設けられた図示しない対向電極とを備えている。
【００１７】
走査線11は、ＴＦＴ15のオンオフを制御する制御信号を供給するものである。
【００１８】
また、信号線12は、画像データに対応した電圧である画像信号を供給するものである。
【００１９】
そして、ＴＦＴ15は、そのゲート電極が走査線11に、ソース電極が信号線12に、ドレイン電極が画素電極に、それぞれ電気的に接続され、走査線11に入力された制御信号によりオンオフ制御され、信号線12に入力された画素信号を画素電極に書き込むことにより、表示エリア７に所定の画像を表示可能となっている。
【００２０】
さらに、アレイ基板３は、図４に示すように、表示エリア７から図中、左方向並びに下方にそれぞれ突出し、この突出した部分が、それぞれ細長矩形状のＣＯＧ部としての額縁部であるＩＣ実装部21，22とされている。そして、これらＩＣ実装部21，22には、走査用ドライバとしてのゲートドライバ25と、アナログ式表示駆動装置としての信号用ドライバであるソースドライバ26とがそれぞれ実装されている。
【００２１】
ゲートドライバ25は、走査線11に各種制御信号を入力するもので、細長四角形状に形成され、長手方向に互いに離間されて並設され、全ての走査線11が電気的に接続されている。
【００２２】
そして、ソースドライバ26は、信号線12に所定の画像信号を入力するもので、細長四角形状に形成されている。
【００２３】
このソースドライバ26は、図１に示すように、複数のサンプリング部31と、これらサンプリング部31に対応して設けられた複数のラッチ部32と、これらラッチ部32に対応して設けられた複数のバッファ部33と、これらバッファ部33に対応して設けられた複数の切換出力部としてのマルチプレクサ部34と、これらマルチプレクサ部34に対応して設けられた複数の出力バッファ部35とを有している。
【００２４】
サンプリング部31は、図示しないスイッチ、および、コンデンサなどを備え、外部からソースドライバ26に入力された所定のクロック信号CLK，CLKのオンタイミングで、例えば赤（Ｒ）、緑（Ｇ）、青（Ｂ）のそれぞれに対応したアナログ画像信号GDR，GDG，GDBを順次サンプリングして、サンプリングデータSDATAを得るものである。
【００２５】
ラッチ部32は、サンプリング部31にてサンプリングされたサンプリングデータSDATAをサンプリング画像データとして保持するものである。本実施の形態では、マルチプレクサ部34毎に一対のラッチ部32，32が接続されており、これらラッチ部32，32には、サンプリング画像データDATA1，DATA2が保持される。
【００２６】
各バッファ部33は、ラッチ部32で保持したサンプリング画像データのそれぞれを出力するものである。本実施の形態では、一対のラッチ部32，32に対応して一対のバッファ部33，33が設けられている。
【００２７】
各マルチプレクサ部34は、外部からソースドライバ26に入力された選択信号OEに対応して一対のチャネル、すなわちバッファ部33，33を交互に切り換えて選択し、いずれか一方のバッファ部33を出力バッファ部35に接続するものである。
【００２８】
出力バッファ部35は、マルチプレクサ部34にて選択されたバッファ部33からの出力を、ソースドライバ26の外部に画像信号として出力するものであり、ソースドライバ26の外部で液晶パネル１に配設された素子側切換出力部としてのパネル側マルチプレクサ部36と電気的に接続されている。
【００２９】
そして、このパネル側マルチプレクサ部36は、出力バッファ部35から出力された画像信号を、例えば赤（Ｒ）、緑（Ｇ）、青（Ｂ）のそれぞれに対応した信号線12へと切り換えて出力するものである。
【００３０】
次に、上記一実施の形態の動作を図５に示すタイミングチャートを参照しながら説明する。
【００３１】
コンピュータなどの図示しない信号源側から、所定のアナログ画像信号GDR，GDG，GDBがソースドライバ26に入力されると、各サンプリング部31で、クロック信号CLKに対応してアナログ画像信号GDR、アナログ画像信号GDG、アナログ画像信号GDBの順にサンプリングして、サンプリングデータSDATAを得る。
【００３２】
この間、前回にサンプリング部31でサンプリングされラッチ部32，32で保持されたサンプリング画像データDATA1，DATA2は、バッファ部33，33へ出力され、ソースドライバ26に入力された選択信号OEにより、マルチプレクサ部34が、チャネルMPX_CH1，MPX_CH2を交互に切り換えて出力バッファ部35に接続し、この出力バッファ部35を介して、バッファ部33，33を経由したサンプリング画像データDATA1，DATA2を、ソースドライバ26の外部へと出力信号として出力する。
【００３３】
すなわち、この出力信号としては、赤（Ｒ）、緑（Ｇ）、青（Ｂ）の順で画像信号が出力される。
【００３４】
パネル側マルチプレクサ部36は、赤（Ｒ）、緑（Ｇ）、青（Ｂ）のそれぞれの画素８の信号線12に順次切り換え、出力バッファ部35からの画像信号を、それぞれの信号線12へと出力する。
【００３５】
そして、サンプリング部31でサンプリングされたサンプリングデータSDATAは、ラッチ部32，32にてサンプリング画像データDATA1，DATA2として保持される。
【００３６】
上述したように、上記一実施の形態では、複数のサンプリング部31により所定間隔で順次サンプリングして複数のラッチ部32にて保持したアナログ画像信号GDR，GDG，GDBを、一対のラッチ部32，32毎にマルチプレクサ部34により切り換えて画像信号として出力する構成とした。
【００３７】
このため、ソースドライバ26は、１つの出力バッファ部35、すなわち１つの出力用の端子で、複数の画像信号を出力することが可能になり、出力用の端子数を必要以上に増加させることなく多選択駆動に対応でき、ソースドライバ26を小型化しつつ多出力化に対応可能となる。
【００３８】
また、出力用の端子数を必要以上に増加しないで済むため、出力用の端子の狭小化を抑制でき、ソースドライバ26の実装精度の必要以上の向上や、狭小化された出力用の端子を液晶パネル１に電気的に接続可能なＡＣＦ（Anisotropic Conductive Film）の開発なども最小限で済ませることができ、製造コストの上昇を抑制できる。
【００３９】
さらに、パネル本体６側に、パネル側マルチプレクサ部36を設けて、マルチプレクサ部34の切り換えによりソースドライバ26から出力される画像信号を、このマルチプレクサ部34の切り換えに対応して複数色の画素８に対応する信号線12へと出力できるので、パネル本体６側にクロス配線などが形成されることもなく、容易に多選択化に対応できる。
【００４０】
なお、上記一実施の形態において、マルチプレクサ部34には、一対のラッチ部32，32と一対のバッファ部33，33とを対応させたが、ラッチ部32およびバッファ部33のそれぞれを３つ以上ずつ設けても、上記一実施の形態と同様の作用効果を奏することができる。
【００４１】
また、表示素子としては、液晶パネル１以外でも、他の様々なものを用いることが可能である。
【図面の簡単な説明】
【００４２】
【図１】本発明の一実施の形態のアナログ式表示駆動装置を示すブロック図である。
【図２】同上アナログ式表示駆動装置の一部を示す回路図である。
【図３】同上アナログ式表示駆動装置を備えた表示素子を示す説明断面図である。
【図４】同上表示素子を示す説明平面図である。
【図５】同上アナログ式表示駆動装置の動作を示すタイミングチャートである。
【符号の説明】
【００４３】
１    表示素子としての液晶パネル
６    表示素子本体としてのパネル本体
26    アナログ式表示駆動装置としてのソースドライバ
31    サンプリング部
32    ラッチ部
34    切換出力部としてのマルチプレクサ部
36    素子側切換出力部としてのパネル側マルチプレクサ部
【図１】
2008015109.tif 000003
【図２】
2008015109.tif 000004
【図３】
2008015109.tif 000005
【図４】
2008015109.tif 000006
【図５】
2008015109.tif 000007